(57)【要約】      （修正有）【課題】アダプタに嵌合されているプラグの抜去に用いることができ、プラグに対する着脱が容易なプラグ用治具を提供し、この治具を備えたプラグ及びプラグ付きケーブルを提供する。【解決手段】ケーブルの端末部に取り付けられているプラグは、アダプタに係止されるプラグ本体１０と、プラグ本体に支持されているスライダ１１と、スライダに取り付けられる治具１２とを備え、治具は、スライダのスロットに差し込まれる差込片５３と、差込片から延在する操作部５４とを含み、差込片は、テーパ部と、係止突起５７とを有し、スロットに差し込まれた差込片の第２面が抜去方向と平行に配置されている状態で操作部が引かれた場合に、係止突起がスライダの係止部５１によって係止され、スライダが治具と一体に抜去方向に移動され、操作部が引かれた場合に、プラグ本体がアダプタから抜去され、係止突起が係止部の係止から解放され、治具がスライダから取り外される。【選択図】図２
2019012253.tif 000002
【特許請求の範囲】
【請求項１】
アダプタに嵌合されるプラグ本体と、前記プラグ本体が前記アダプタから抜去される抜去方向に移動可能に前記プラグ本体に支持されているスライダと、を備え、前記スライダが前記抜去方向に移動することにより、前記アダプタと前記プラグ本体との嵌合が解除され且つ前記プラグ本体が前記アダプタから抜去されるプラグに用いられる治具であって、
前記スライダに設けられているスロットに対して前記抜去方向とは反対方向に差し込まれる差込片と、
前記差込片と一体に設けられており、前記スロットに差し込まれた前記差込片から前記抜去方向に延在する操作部と、
を備え、
前記差込片は、
前記差込片の厚み方向両側の面のうち一方の第１面側が他方の第２面に対して傾斜した傾斜面とされていることにより、厚みが前記差込片の先端に向けて次第に小さくなっているテーパ部と、
前記差込片の外周面のうち前記第１面を除く面に設けられている係止突起と、
を有し、
前記スロットに差し込まれた前記差込片の前記第２面が前記抜去方向と平行に配置されている状態で前記操作部が前記抜去方向に引かれた場合に、前記係止突起が前記スライダの係止部によって係止され、前記スライダを前記差込片と一体に前記抜去方向に移動させ、
前記スロットに差し込まれた前記差込片の前記傾斜面が前記抜去方向と平行に配置されている状態で前記操作部が前記抜去方向に引かれた場合に、前記係止突起が前記係止部による係止から解放され、前記スライダから取り外される、
プラグ用治具。
【請求項２】
請求項１記載のプラグ用治具であって、
前記差込片は、前記テーパ部よりも前記差込片の前記操作部側に設けられており厚みが一定な基部を有するプラグ用治具。
【請求項３】
請求項２記載のプラグ用治具であって、
前記係止突起には前記係止部との係合面があり、該係合面は、前記基部上に配置されているプラグ用治具。
【請求項４】
請求項１から３のいずれか一項記載のプラグ用治具であって、
前記係止突起は、前記差込片の前記第２面に設けられているプラグ用治具。
【請求項５】
請求項４記載のプラグ用治具であって、
前記差込片は、前記係止突起よりも前記差込片の前記操作部側で前記第２面に設けられている押圧突起をさらに有し、
前記押圧突起は、前記スロットに差し込まれた前記差込片の前記傾斜面が前記抜去方向と平行に配置されることにより、前記係止部を押し上げるプラグ用治具。
【請求項６】
請求項４又は５記載のプラグ用治具であって、
前記差込片の幅方向における前記係止突起の両側の側面は、互いの間隔が前記係止突起の頂部に向けて次第に小さくなる傾斜面とされているプラグ用治具。
【請求項７】
請求項１から６のいずれか一項記載のプラグ用治具であって、
前記差込片は、前記プラグ本体が前記アダプタに嵌合される嵌合方向に前記プラグ本体又は前記スライダを押圧する押圧部をさらに有するプラグ用治具。
【請求項８】
アダプタに係止されるプラグ本体と、前記プラグ本体が前記アダプタから抜去される抜去方向に移動可能に前記プラグ本体に支持されているスライダと、を備え、前記スライダが前記抜去方向に移動することにより、前記アダプタと前記プラグ本体との嵌合が解除され且つ前記プラグ本体が前記アダプタから抜去されるプラグであって、
前記スライダに着脱可能に取り付けられる治具をさらに備え、
前記治具は、
前記スライダに設けられているスロットに対して前記抜去方向とは反対方向に差し込まれる差込片と、
前記差込片と一体に設けられており、前記スロットに差し込まれた前記差込片から前記抜去方向に延在する操作部と、
を含み、
前記差込片は、
前記差込片の厚み方向両側の面のうち一方の第１面側が他方の第２面に対して傾斜した傾斜面とされていることにより、厚みが前記差込片の先端に向けて次第に小さくなっているテーパ部と、
前記差込片の外周面のうち前記第１面を除く面に設けられている係止突起と、
を有し、
前記スロットに差し込まれた前記差込片の前記第２面が前記抜去方向と平行に配置されている状態で前記操作部が前記抜去方向に引かれた場合に、前記係止突起が前記スライダの係止部によって係止され、前記スライダが前記治具と一体に前記抜去方向に移動され、
前記スロットに差し込まれた前記差込片の前記傾斜面が前記抜去方向と平行に配置されている状態で前記操作部が前記抜去方向に引かれた場合に、前記係止突起が前記係止部による係止から解放され、前記治具が前記スライダから取り外される、
プラグ。
【請求項９】
請求項８記載のプラグが端末部に取り付けられているプラグ付きケーブル。
【発明の詳細な説明】
【技術分野】
【０００１】
本発明は、プラグ用治具及びプラグ並びにプラグ付きケーブルに関する。
【背景技術】
【０００２】
光ファイバケーブルと、レシーバやトランスミッタなどの光モジュール又は他の光ファイバケーブルとはアダプタ（いわゆるレセプタクルを含む）を介して接続されており、アダプタに嵌合されるプラグが光ファイバケーブルの端末部に設けられている。そして、光モジュールが実装される通信機器や光ファイバケーブル同士を中継する配線盤などの機器において、機器の小型化等の観点から、複数のアダプタが密集して設けられる場合があり、密集して設けられているアダプタに対するプラグの嵌合作業及び／又は抜去作業を容易とする治具及び治具付きプラグが知られている（例えば、特許文献１，２参照）。
【０００３】
特許文献１に記載されたプラグは、アダプタに挿着（嵌合）されるプラグ本体と、プラグ本体に移動可能に支持されているツマミとを備える。アダプタに挿着（嵌合）されているプラグ本体に対してツマミが抜去方向に移動されることにより、アダプタとプラグ本体との嵌合が解除され、プラグ本体がアダプタから抜去される。そして、特許文献１に記載されたプラグ着脱具は、把持部と、把持部の長手方向の一端部に設けられている挿着具と、他端部に設けられている抜脱具とを備える。
【０００４】
挿着具は、ツマミを抱えるように保持するツマミ保持部を有し、ツマミ保持部にはツマミの後端部に当接する突起部が形成されている。突起部がツマミの後端部に当接した状態で把持部が押し込まれることにより、プラグ本体がアダプタに挿着される。また、抜脱具は、ツマミの後端に隣設されているブーツを抱えるように保持するブーツ保持部と、ブーツ保持部から延びる係合突起部とを有する。係合突起部がツマミに係合した状態で把持部が引っ張られることにより、ツマミが抜去方向に移動され、これにより、アダプタとプラグ本体との挿着（嵌合）が解除され、プラグ本体がアダプタから抜去される。
【０００５】
特許文献２に記載された抜き治具付きプラグもまた、アダプタに嵌合されるプラグ本体と、プラグ本体に移動可能に支持されているツマミとを備え、アダプタに嵌合されているプラグ本体に対してツマミが抜去方向に移動されることにより、アダプタとプラグ本体との嵌合が解除され、プラグ本体がアダプタから抜去される。そして、特許文献２に記載された抜き治具付きプラグは、プルタブをさらに備える。
【０００６】
プルタブは、ツマミ及びブーツを抱えるように保持するカバー部を先端側に有し、プル部を後端側に有し、カバー部にはツマミに係合する係止突起が形成されている。係止突起がツマミに係合した状態でプル部が引っ張られることにより、ツマミが抜去方向に移動され、これにより、アダプタとプラグ本体との嵌合が解除され、プラグ本体がアダプタから抜去される。
【先行技術文献】
【特許文献】
【０００７】
【特許文献１】特開２００２−３５０６７７号公報
【特許文献２】特開２００５−１７６０２号公報
【発明の概要】
【発明が解決しようとする課題】
【０００８】
特許文献１に記載されたプラグ挿抜具では、挿着具と抜脱具とが別である。抜脱具を用いてアダプタから抜去されたプラグが、挿着具を用いて再びアダプタに挿着される際に、抜脱具はプラグから取り外される必要がある。すなわち、挿着具及び抜脱具の一方がプラグに取り付けられている状態でプラグ挿抜具を放置することはできない。
【０００９】
そして、プラグの脱落を防止するため、挿着具は、ツマミ保持部によってツマミを抱えるように保持し、抜脱具は、ブーツ保持部によってブーツを抱えるように保持しているが、この場合に、挿着具及び抜脱具をプラグから取り外すことが困難である。特許文献２に記載された抜き治具付きプラグのプルタブもまた、カバー部によってツマミ及びブーツを抱えるように保持しており、やはりプルタブをプラグから取り外すことが困難である。
【００１０】
本発明は、上述した事情に鑑みなされたものであり、アダプタに嵌合されているプラグの抜去に用いることができ、プラグに対する着脱が容易なプラグ用治具を提供し、この治具を備えたプラグ及びプラグ付きケーブルを提供することを目的とする。
【課題を解決するための手段】
【００１１】
本発明の一態様のプラグ用治具は、アダプタに嵌合されるプラグ本体と、前記プラグ本体が前記アダプタから抜去される抜去方向に移動可能に前記プラグ本体に支持されているスライダと、を備え、前記スライダが前記抜去方向に移動することにより、前記アダプタと前記プラグ本体との嵌合が解除され且つ前記プラグ本体が前記アダプタから抜去されるプラグに用いられる治具であって、前記スライダに設けられているスロットに対して前記抜去方向とは反対方向に差し込まれる差込片と、前記差込片と一体に設けられており、前記スロットに差し込まれた前記差込片から前記抜去方向に延在する操作部と、を備え、前記差込片は、前記差込片の厚み方向両側の面のうち一方の第１面側が他方の第２面に対して傾斜した傾斜面とされていることにより、厚みが前記差込片の先端に向けて次第に小さくなっているテーパ部と、前記差込片の外周面のうち前記第１面を除く面に設けられている係止突起と、を有し、前記スロットに差し込まれた前記差込片の前記第２面が前記抜去方向と平行に配置されている状態で前記操作部が前記抜去方向に引かれた場合に、前記係止突起が前記スライダの係止部によって係止され、前記スライダを前記差込片と一体に前記抜去方向に移動させ、前記スロットに差し込まれた前記差込片の前記傾斜面が前記抜去方向と平行に配置されている状態で前記操作部が前記抜去方向に引かれた場合に、前記係止突起が前記係止部による係止から解放され、前記スライダから取り外される。
【００１２】
また、本発明の一態様のプラグは、アダプタに係止されるプラグ本体と、前記プラグ本体が前記アダプタから抜去される抜去方向に移動可能に前記プラグ本体に支持されているスライダと、を備え、前記スライダが前記抜去方向に移動することにより、前記アダプタと前記プラグ本体との嵌合が解除され且つ前記プラグ本体が前記アダプタから抜去されるプラグであって、前記スライダに着脱可能に取り付けられる治具をさらに備え、前記治具は、前記スライダに設けられているスロットに対して前記抜去方向とは反対方向に差し込まれる差込片と、前記差込片と一体に設けられており、前記スロットに差し込まれた前記差込片から前記抜去方向に延在する操作部と、を含み、前記差込片は、前記差込片の厚み方向両側の面のうち一方の第１面側が他方の第２面に対して傾斜した傾斜面とされていることにより、厚みが前記差込片の先端に向けて次第に小さくなっているテーパ部と、前記差込片の外周面のうち前記第１面を除く面に設けられている係止突起と、を有し、前記スロットに差し込まれた前記差込片の前記第２面が前記抜去方向と平行に配置されている状態で前記操作部が前記抜去方向に引かれた場合に、前記係止突起が前記スライダの係止部によって係止され、前記スライダが前記治具と一体に前記抜去方向に移動され、前記スロットに差し込まれた前記差込片の前記傾斜面が前記抜去方向と平行に配置されている状態で前記操作部が前記抜去方向に引かれた場合に、前記係止突起が前記係止部による係止から解放され、前記治具が前記スライダから取り外される。
【００１３】
また、本発明の一態様のプラグ付きケーブルは、前記プラグが端末部に取り付けられている。
【発明の効果】
【００１４】
本発明によれば、アダプタに嵌合されているプラグの抜去に用いることができ、プラグに対する着脱が容易なプラグ用治具を提供することができ、この治具を備えたプラグ及びプラグ付きケーブルを提供することができる。
【図面の簡単な説明】
【００１５】
【図１】本発明の実施形態を説明するための、プラグ付きケーブルの一例の斜視図である。
【図２】図１のプラグの分解斜視図である。
【図３】図１のプラグのスライダの背面図である。
【図４Ａ】アダプタとプラグとの嵌合が解除される際のプラグの各部の動作を示す断面図である。
【図４Ｂ】アダプタとプラグとの嵌合が解除される際のプラグの各部の動作を示す断面図である。
【図４Ｃ】アダプタとプラグとの嵌合が解除される際のプラグの各部の動作を示す断面図である。
【図５Ａ】図１のプラグ用治具の側面図である。
【図５Ｂ】図１のプラグ用治具の平面図である。
【図６Ａ】プラグ用治具を用いてアダプタとプラグとが嵌合される際のプラグの各部の動作を示す断面図である。
【図６Ｂ】プラグ用治具を用いてアダプタとプラグとが嵌合される際のプラグの各部の動作を示す断面図である。
【図６Ｃ】プラグ用治具を用いてアダプタとプラグとが嵌合される際のプラグの各部の動作を示す断面図である。
【図７Ａ】プラグ用治具を用いてアダプタとプラグとの嵌合が解除される際のプラグの各部の動作を示す断面図である。
【図７Ｂ】プラグ用治具を用いてアダプタとプラグとの嵌合が解除される際のプラグの各部の動作を示す断面図である。
【図７Ｃ】プラグ用治具を用いてアダプタとプラグとの嵌合が解除される際のプラグの各部の動作を示す断面図である。
【図８Ａ】プラグ用治具が取り外される際のプラグの各部の動作を示す断面図である。
【図８Ｂ】プラグ用治具が取り外される際のプラグの各部の動作を示す断面図である。
【図８Ｃ】プラグ用治具が取り外される際のプラグの各部の動作を示す断面図である。
【図９】図６Ａにおいて破線円IXで囲った部分の拡大図である。
【図１０】図７Ａにおいて破線円Xで囲った部分の拡大図である。
【図１１】プラグ用治具が取り外される際のプラグ用治具の動作の他の例を示す平面図である。
【図１２Ａ】プラグ用治具の他の例の斜視図である。
【図１２Ｂ】図１２Ａのプラグ用治具を備えるプラグの要部の拡大図である。
【図１２Ｃ】図１２Ａのプラグ用治具を備えるプラグの要部の拡大図である。
【発明を実施するための形態】
【００１６】
以下、実施形態について図面を参照して説明する。
【００１７】
図１に示すケーブル１は、光ファイバケーブルであり、光ファイバケーブル１の端末部にはプラグ２が取り付けられている。プラグ２は、機器３のパネル４に設けられているアダプタ５に嵌合される。機器３は、例えば通信機器又は配線盤であり、光ファイバケーブル１は、アダプタ５を介して、例えば通信機器に実装されている光モジュールに接続され、又は配線盤に収納されている他の光ファイバケーブルに接続される。
【００１８】
アダプタ５は、嵌合孔がパネル４の正面側にのみ設けられる、いわゆるレセクタプルと、嵌合孔がパネル４の正面側及び背面側の双方に設けられるものとを含む。嵌合孔がパネル４の正面側にのみ設けられているアダプタは、典型的には、光ファイバケーブル１と光モジュールとの接続に用いられ、嵌合孔がパネル４の正面側及び背面側の双方に設けられているアダプタは、典型的には、光ファイバケーブル１と他の光ファイバケーブルとの接続に用いられる。
【００１９】
図２及び図３は、プラグ２の構成を示す。
【００２０】
プラグ２は、プラグ本体１０と、スライダ１１と、治具１２とを備える。
【００２１】
プラグ本体１０は、光ファイバケーブル１の心線（光ファイバ）の端末部を保持するフェルール２０と、フェルール２０を支持しているプラグフレーム２１と、プラグフレーム２１を支持しているラッチフレーム２２とを備える。本例では、フェルール２０は心線毎に設けられており、プラグフレーム２１はフェルール２０毎に設けられている。光ファイバケーブル１は単心ケーブルであってもよいし、２心以上の多心ケーブルであってもよく、フェルール２０及びプラグフレーム２１の数は、光ファイバケーブル１の心数に応じて適宜変更される。なお、フェルール２０は、複数の心線を保持する多心フェルールであってもよい。
【００２２】
ラッチフレーム２２は筒状に形成されており、光ファイバケーブル１は、ラッチフレーム２２に挿通され、ラッチフレーム２２の軸方向一端側の開口から引き出されている。ラッチフレーム２２から引き出された光ファイバケーブル１には、ケーブルの屈曲を防止するためのブーツ２３が被せられている。
【００２３】
プラグフレーム２１はラッチフレーム２２の軸方向他端側の開口から突出して配置されており、このプラグフレーム２１がアダプタ５に嵌合される。以下、プラグフレーム２１がラッチフレーム２２から突出する方向をプラグ２における前方とし、反対方向を後方とする。プラグ本体１０が後方に引かれることによってプラグフレーム２１はアダプタ５から抜去される。
【００２４】
ラッチフレーム２２の外周の一面２２ａには、アダプタ５によって係止されるラッチ２５が設けられている。以下、外面２２ａの面内において前後方向に垂直な方向且つ外面２２ａに平行な方向をプラグ２における幅方向とする。また、外面２２ａに垂直な方向をプラグ２における上下方向とし、外面２２ａ側を上側とする。なお、二つのラッチ２５が幅方向に間隔をあけて配置されているが、ラッチ２５は一つ以上あればよい。
【００２５】
ラッチ２５はラッチフレーム２２の外面２２ａに固定されている支持部２６から前方に延びており、ラッチ２５の前端部２７はプラグフレーム２１の上方に配置されている。ラッチ２５とラッチフレーム２２の外面２２ａ及びプラグフレーム２１の外面２１ａとの間には支持部２６を除いて隙間があいており、ラッチ２５が弾性的に撓むことによって、前端部２７はプラグフレーム２１の外面２１ａの上方から外面２１ａに向けて変位可能である。前端部２７はプラグフレーム２１と共にアダプタ５に収容され、前端部２７には、アダプタ５によって係止される係止突起２８が設けられている。
【００２６】
スライダ１１は、ラッチ２５の上方に配置されるカバー部３０と、ラッチフレーム２２の後方に配置される把持部３１とを備える。ラッチフレーム２２の外面２２ａとカバー部３０とはラッチ２５を間に挟んで対向しており、外面２２ａとカバー部３０とには、互いに係合する係合部４０，４１がそれぞれ設けられている。両係合部４０，４１によって、スライダ１１は後方に移動可能に支持され、換言すればプラグフレーム２１がアダプタ５から抜去される抜去方向に移動可能に支持されている。
【００２７】
ラッチフレーム２２の係合部４０は、ラッチフレーム２２の外面２２ａに固定されているリブ４２と、リブ４２の上端部から幅方向両側に突出している一対のウイング４３とで構成され、全体として断面略Ｔ字形に形成されており、前後方向に延びている。
【００２８】
図３に示すように、カバー部３０の係合部４１は、幅方向に間隔をあけて配置されている一対のアーム４４を含む。一対のアーム４４は、係合部４０のリブ４２及び一対のウイング４３を幅方向に挟んでおり、リブ４２及び一対のウイング４３と一対のアーム４４との係合によって、カバー部３０は前後方向にガイドされる。そして、各アーム４４には、ラッチフレーム２２の外面２２ａとウイング４３との間に収容される係合爪４５が設けられており、ウイング４３と係合爪４５との係合によってカバー部３０の浮き上がりが規制される。これにより、スライダ１１は抜去方向に移動可能に支持される。なお、ラッチフレーム２２の後方に配置されるスライダ１１の把持部３１には、ブーツ２３が挿通される挿通孔３２が設けられており、挿通孔３２の内周とブーツ２３との係合によってスライダ１１の支持が補助されている。
【００２９】
係合部４１は、一対のアーム４４の前端部間を塞ぐストッパ４６をさらに含み、スライダ１１の抜去方向に沿った可動域は、ストッパ４６と、把持部３１とによって規定されている。スライダ１１が抜去方向に所定量移動するとストッパ４６が係合部４０のリブ４２の前端と当接し、スライダ１１の抜去方向の移動が阻止される。また、スライダ１１が抜去方向とは反対方向に所定量移動すると、把持部３１がラッチフレーム２２の後端に当接し、スライダ１１の抜去方向とは反対方向の移動が阻止される。
【００３０】
なお、ラッチフレーム２２の係合部４０及びカバー部３０の係合部４１は、上記の構成に限定されない。例えば、カバー部３０の係合部４１がリブ４２と一対のウイング４３とで構成され、ラッチフレーム２２の係合部４０が一対のアーム４４で構成されてもよい。
【００３１】
以上のように抜去方向に移動可能に支持されているスライダ１１は、抜去方向の移動に応じてラッチ２５を押し下げる押下部３３をさらに有する。押下部３３は、ラッチフレーム２２の外面２２ａとの間にラッチ２５を挟んでいるカバー部３０に設けられている。ラッチ２５には、抜去方向に向かうに従い外面２２ａから離間するように傾斜した摺接面２５ａが設けられている。スライダ１１が抜去方向に移動すると、押下部３３は、摺接面２５ａを抜去方向に摺動し、ラッチ２５を外面２２ａに向けて押し下げる。押下げられたラッチ２５は弾性的に撓み、上記のとおり、ラッチ２５の前端部２７がプラグフレーム２１の外面２１ａに向けて変位する。
【００３２】
図４Ａ〜図４Ｃは、アダプタ５とプラグ本体１０との嵌合が解除される際のプラグ２の各部の動作を示す。
【００３３】
図４Ａに示すように、プラグ本体１０のプラグフレーム２１がアダプタ５に嵌合している。ラッチ２５の前端部２７もアダプタ５に収容されており、前端部２７に設けられている係止突起２８がアダプタ５の係止部６によって係止されている。
【００３４】
図４Ｂに示すように、スライダ１１が抜去方向に引かれると、アダプタ５に固定されているプラグ本体１０に対してスライダ１１が抜去方向に移動し、スライダ１１の押下部３３が、ラッチ２５の摺接面２５ａを摺動し、ラッチ２５を押し下げる。押し下げられたラッチ２５は弾性的に撓み、ラッチ２５の前端部２７はプラグフレーム２１の外面２１ａに向けて変位する。前端部２７の変位に伴い、アダプタ５の係止部６と前端部２７に設けられている係止突起２８との係合が解除され、アダプタ５とプラグフレーム２１との嵌合が解除可能となる。
【００３５】
図４Ｃに示すように、スライダ１１が引き続き抜去方向に引かれると、スライダ１１が可動域の抜去方向の一端に達し、以後、スライダ１１と一体にプラグ本体１０も抜去方向に引かれ、アダプタ５とプラグフレーム２１との嵌合が解除され、プラグフレーム２１がアダプタ５から抜去される。
【００３６】
このように、スライダ１１が抜去方向に移動することにより、アダプタ５とプラグフレーム２１との嵌合が解除され且つプラグフレーム２１がアダプタ５から抜去される。
【００３７】
治具１２は、スライダ１１を抜去方向に引き、プラグ本体１０をアダプタ５から抜去するために用いられる。例えば図１に示したように、複数のアダプタ５が機器３のパネル４に密集して設けられ、機器３に接続されている複数の光ファイバケーブル１もまた密集しており、スライダ１１に手指が届き難い場合に、治具１２がスライダ１１に取り付けられ、スライダ１１が治具１２を介して抜去方向に引かれる。さらに本例では、治具１２は、アダプタ５とプラグ本体１０とを嵌合させるためにも用いられる。
【００３８】
図２及び図３も参照して、スライダ１１の把持部３１には治具１２が差し込まれるスロット５０が設けられている。スロット５０は、把持部３１の後面に開口しており、治具１２は、抜去方向とは反対方向にスロット５０に差し込まれる。スロット５０には、差し込まれた治具１２を係止する係止部５１が設けられている。
【００３９】
スロット５０は、プラグ本体１０のラッチフレーム２２とスライダ１１のカバー部３０との隙間に通じており、ラッチフレーム２２の外面２２ａには、スロット５０に差し込まれた治具１２と当接する受圧部５２が設けられている。受圧部５２は、前後方向に延びるリブによって構成されているが、受圧部５２の構成は特に限定されない。
【００４０】
図５Ａ及び図５Ｂは、治具１２の構成を示す。
【００４１】
治具１２は、プラグ本体１０がアダプタ５から抜去される抜去方向とは反対方向にスライダ１１のスロット５０に差し込まれる差込片５３と、差込片５３と一体に設けられており、スロット５０に差し込まれた差込片５３から抜去方向に延在する操作部５４とを備える。
【００４２】
差込片５３は、厚みが差込片５３の先端に向けて次第に小さくなっているテーパ部５５を有し、さらに本例では、テーパ部５５の操作部５４側に隣設されている基部５６を有する。テーパ部５５は、差込片５３の厚み方向両側の面のうち一方の第１面５３ａ側に、他方の第２面５３ｂに対して傾斜した傾斜面５５ａをもつ。基部５６は、厚みが一定であり、差込片５３の第１面５３ａ側に、第２面５３ｂに対して平行な面５６ａをもつ。差込片５３は、第２面５３ｂをプラグ２における上方に向けてスロット５０に差し込まれる。
【００４３】
差込片５３はまた、スライダ１１の係止部５１によって係止される係止突起５７と、係止部５１を押圧する押圧突起５８と、プラグ本体１０の受圧部５２に当接する押圧部５９とを有する。
【００４４】
係止突起５７は、差込片５３の外周面（第１面５３ａ及び第２面５３ｂ並びに幅方向両側の側面５３ｃ，５３ｄ）のうち、テーパ部５５の傾斜面５５ａが設けられている第１面５３ａを除いた面に設けられ、本例では、第２面５３ｂに設けられている。
【００４５】
スライダ１１の係止部５１は、図２に示すように、スロット５０を囲む四方の壁のうち、スロット５０に差し込まれた差込片５３の第２面５３ｂと対向する上部壁６０に設けられ、本例では、上部壁６０に形成された貫通孔６１と、貫通孔６１のスロット開口側に形成された内壁６２とを含む。係止突起５７は、貫通孔６１に収容され、内壁６２によって係止される。
【００４６】
差込片５３の先端側に位置する係止突起５７の前面５７ａは、差込片５３がスロット５０に差し込まれる際に係止部５１と当接する面であり、差込片５３の第２面５３ｂに垂直な方向に対して操作部５４側に倒れる傾斜面とされている。差込片５３がスロット５０に差し込まれる際に、係止部５１は係止突起５７を乗り越えるが、前面５７ａが傾斜面であることにより、係止部５１は係止突起５７を円滑に乗り越え、差込片５３をスロット５０に差し込む作業が容易となる。
【００４７】
一方、前面５７ａと反対側の後面５７ｂは、差込片５３がスロット５０に差し込まれている状態で、係止部５１の内壁６２と係合する面であり、後面５７ｂは第２面５３ｂに対して略垂直となっている。後面５７ｂは、差込片５３のテーパ部５５上に配置されていてもよいが、本例では、基部５６上に配置されている。
【００４８】
また、本例では、差込片５３の幅方向における係止突起５７の両側の側面５７ｃ，５７ｄは、互いの間隔が係止突起５７の頂部に向かうに従い小さくなる傾斜面とされている。
【００４９】
押圧突起５８は、係止突起５７よりも操作部５４側で差込片５３の第２面５３ｂに設けられている。押圧突起５８の第２面５３ｂからの高さＨ２は、係止突起５７の高さＨ１よりも小さく、差込片５３がスロット５０に差し込まれている状態で、係止部５１に接し、又は係止部５１との間に僅かな隙間をあけて係止部５１の下方に配置される。また、本例では、差込片５３の幅方向における押圧突起５８の長さＷ２は、係止突起５７の長さＷ１より大きく、押圧突起５８は係止突起５７よりも差込片５３の幅方向両側に延在している。
【００５０】
押圧部５９は、差込片５３の先端部に設けられており、差込片５３がスロット５０に差し込まれた際に、プラグ本体１０の受圧部５２に当接する。押圧部５９は、差込片５３の先端面によって構成されてもよいが、受圧部５２を収容可能な切り欠き部によって構成されており、受圧部５２を収容することにより、差込片５３がスロット５０に差し込まれる際のガイドとしても機能する。
【００５１】
図６Ａ〜図６Ｃは、治具１２を用いてアダプタ５とプラグ２とが嵌合される際のプラグ２の各部の動作を示す。
【００５２】
図６Ａに示すように、治具１２の差込片５３がスライダ１１のスロット５０に差し込まれており、差込片５３の押圧部５９はプラグ本体１０の受圧部５２に当接している。
【００５３】
図６Ｂに示すように、プラグ本体１０がアダプタ５に嵌合される嵌合方向に治具１２の操作部５４が押されると、押圧部５９と受圧部５２とを介してプラグ本体１０も押され、プラグ本体１０が嵌合方向に移動する。プラグ本体１０の移動に応じて、プラグ本体１０のプラグフレーム２１と、ラッチ２５の前端部２７とがアダプタ５に挿入される。
【００５４】
図６Ｃに示すように、アダプタ５とプラグフレーム２１とが嵌合するまでプラグ本体１０が嵌合方向に移動すると、アダプタ５の係止部６がラッチ２５の係止突起２８を乗り越え、係止突起２８が係止部６によって係止される。
【００５５】
なお、治具１２は、プラグ本体１０に替えてスライダ１１を押圧してもよいが、アダプタ５に嵌合されるプラグ本体１０を直接押圧することが好ましい。プラグ本体１０を直接押圧したほうが、抜去方向及び抜去方向とは反対方向の嵌合方向に移動可能にプラグ本体１０に支持されているスライダ１１を押圧するよりも操作感が高まる。
【００５６】
図７Ａ〜図７Ｃは、治具１２を用いてアダプタ５とプラグ２との嵌合が解除される際のプラグ２の各部の動作を示す。
【００５７】
図７Ａに示すように、プラグ本体１０のプラグフレーム２１がアダプタ５に嵌合している。ラッチ２５の前端部２７もアダプタ５に収容されており、前端部２７に設けられている係止突起２８がアダプタ５の係止部６によって係止されている。そして、治具１２の差込片５３がスライダ１１のスロット５０に差し込まれている。アダプタ５とプラグフレーム２１との嵌合が治具１２を用いて解除される場合には、差込片５３の第２面５３ｂがプラグ本体１０の抜去方向と平行に配置される。なお、第２面５３ｂが抜去方向に対して僅かに（例えば−５°〜＋５°）傾いていても、第２面５３ｂと抜去方向とは平行であるものと見做す。
【００５８】
図７Ｂに示すように、差込片５３の第２面５３ｂがプラグ本体１０の抜去方向と平行に配置されている状態で、治具１２の操作部５４がプラグ本体１０の抜去方向に引かれると、差込片５３の係止突起５７がスライダ１１の係止部５１によって係止され、係止突起５７を係止したスライダ１１もまた抜去方向に引かれる。抜去方向に引かれたスライダ１１は、アダプタ５に固定されているプラグ本体１０に対して抜去方向に移動し、スライダ１１の押下部３３がラッチ２５を押し下げる。押し下げられたラッチ２５の前端部２７はプラグフレーム２１の外面２１ａに向けて変位し、前端部２７の変位に伴い、アダプタ５の係止部６と前端部２７に設けられている係止突起２８との係合が解除され、アダプタ５とプラグフレーム２１との嵌合が解除可能となる。
【００５９】
図７Ｃに示すように、治具１２が引き続き抜去方向に引かれると、スライダ１１が可動域の抜去方向の一端に達し、以後、スライダ１１と一体にプラグ本体１０も抜去方向に引かれ、アダプタ５とプラグフレーム２１との嵌合が解除され、プラグフレーム２１がアダプタ５から抜去される。
【００６０】
図８Ａ〜図８Ｃは、治具１２が取り外される際のプラグ２の各部の動作を示す。
【００６１】
図８Ａに示すように、治具１２の差込片５３がスライダ１１のスロット５０に差し込まれている。治具１２がスライダ１１から取り外される場合には、治具１２の操作部５４が持ち上げられ、差込片５３のテーパ部５５の傾斜面５５ａがプラグ本体１０の抜去方向と平行に配置される。なお、傾斜面５５ａが抜去方向に対して僅かに（例えば−５°〜＋５°）傾いていても、傾斜面５５ａと抜去方向とは平行であるものと見做す。
【００６２】
図８Ｂ及び図８Ｃに示すように、テーパ部５５の傾斜面５５ａがプラグ本体１０の抜去方向と平行に配置されている状態で、治具１２の操作部５４がプラグ本体１０の抜去方向に引かれると、差込片５３の係止突起５７はスライダ１１の係止部５１による係止から解放され、治具１２がスライダ１１から取り外される。
【００６３】
なお、図８Ａ〜図８Ｃに示した例では、プラグ本体１０がアダプタ５に嵌合されているが、プラグ本体１０がアダプタ５から抜去されている場合も、プラグ２の各部の動作は同じである。
【００６４】
図９は及び図１０は、治具１２の差込片５３の係止突起５７とスライダ１１の係止部５１との係合関係を詳細に示し、図９は、差込片５３の第２面５３ｂが抜去方向と平行に配置されている場合の係合関係を示し、図１０は、差込片５３のテーパ部５５の傾斜面５５ａが抜去方向と平行に配置されている場合の係合関係を示す。
【００６５】
図９に示すとおり、差込片５３の第２面５３ｂがプラグ本体１０の抜去方向と平行に配置されている場合に、係止突起５７の後面５７ｂは第２面５３ｂに対して略垂直であるから、後面５７ｂと係止部５１の内壁６２とは抜去方向に正対している。この場合に、治具１２がプラグ本体１０の抜去方向に引かれると、図７Ｂ〜図７Ｃに示したとおり、係止突起５７が内壁６２によって係止され、係止突起５７を係止したスライダ１１が治具１２と一体に抜去方向に引かれる。
【００６６】
一方、図１０に示すとおり、差込片５３のテーパ部５５の傾斜面５５ａが抜去方向と平行に配置されている場合に、係止突起５７の後面５７ｂは、係止部５１の内壁６２と反対側に倒れており、後面５７ｂと内壁６２とが抜去方向に正対している場合に比べて両者の係合力が弱まる。この場合に、治具１２がプラグ本体１０の抜去方向に引かれると、図８Ｂ〜図８Ｃに示したとおり、係止部５１が係止突起５７を容易に乗り越え、係止突起５７は係止部５１による係止から容易に解放される。これにより、治具１２がスライダ１１から容易に取り外される。
【００６７】
差込片５３の全体がテーパ部５５であってもよいが、本例では、差込片５３は、テーパ部５５の操作部５４側に隣設されている基部５６を有しており、基部５６は、上記のとおり、厚みが略一定であり、差込片５３の第１面５３ａ側に、第２面５３ｂに対して平行な面５６ａをもつ。差込片５３の第２面５３ｂがプラグ本体１０の抜去方向と平行に配置されている場合に、スロット５０の上部壁６０と下部壁６３との間に挟まれる基部５６が面５６ａにて下部壁６３と面接触し、差込片５３が安定に支持される。これにより、第２面５３ｂがプラグ本体１０の抜去方向と平行に配置された状態に差込片５３をスロット５０の内部で安定に保持でき、治具１２が不意にスライダ１１から外れてしまうことを抑制できる。
【００６８】
さらに本例では、係止突起５７の後面５７ｂが基部５６上に配置されている。差込片５３の第２面５３ｂがプラグ本体１０の抜去方向と平行に配置されている状態で、後面５７ｂの下方で差込片５３とスロット５０の下部壁６３との間に隙間があかず、後面５７ｂと内壁６２との係合によって後面５７ｂに力が作用しても、後面５７ｂが内壁６２と反対側に倒れる差込片５３の傾きが抑制される。これにより、第２面５３ｂがプラグ本体１０の抜去方向と平行に配置された状態に差込片５３をスロット５０の内部で安定に保持でき、治具１２が不意にスライダ１１から外れてしまうことを一層抑制できる。
【００６９】
また、本例では、差込片５３は押圧突起５８を有し、この押圧突起５８は、上記のとおり、差込片５３がスロット５０に差し込まれている状態で、係止部５１に接し、又は係止部５１との間に僅かな隙間をあけて係止部５１の下方に配置されている。図１０に示すように、差込片５３のテーパ部５５の傾斜面５５ａが抜去方向と平行に配置された際に、係止部５１は、弾性的に撓みながら、押圧突起５８によって押し上げられる。係止部５１が押し上げられることにより、係止突起５７の後面５７ｂと内壁６２との係合代ＯＬ２は、差込片５３の第２面５３ｂがプラグ本体１０の抜去方向と平行に配置されている場合の係合代ＯＬ１よりも小さくなる。これにより、後面５７ｂと内壁６２との係合力が一層弱まり、治具１２をスライダ１１から容易に取り外すことができる。
【００７０】
好ましくは、図５Ｂに示したとおり、差込片５３の幅方向における押圧突起５８の長さＷ２は、係止突起５７の長さＷ１より大きく、押圧突起５８は係止突起５７よりも差込片５３の幅方向両側に延在する。これにより、係止突起５７の後面５７ｂと内壁６２との係合範囲の全範囲に亘って係止部５１を押し上げることができ、後面５７ｂと内壁６２との係合力をさらに弱めて、治具１２をスライダ１１から容易に取り外すことができる。
【００７１】
なお、スロット５０の上部壁６０に凹部が形成されることによって係止部５１の内壁６２が形成されてもよいが、好ましくは、本例のように、貫通孔６１が形成されることによって内壁６２が形成される。貫通孔６１によって、係止部５１と、係止部５１を除いた上部壁６０の他の部位との相互の拘束が弱められ、係止部５１が弾性的に撓み易くなり、治具１２をスライダ１１から容易に取り外すことができる。
【００７２】
また、本例では、差込片５３の幅方向における係止突起５７の両側の側面５７ｃ，５７ｄは、互いの間隔が係止突起５７の頂部に向かうに従い小さくなる傾斜面とされている。この場合、図１１に示すように、治具１２がスライダ１１から取り外される際に、治具１２の操作部５４が差込片５３の幅方向に振られてもよい。操作部５４が振られることによって係止突起５７の一方の側面５７ｃ（又は側面５７ｄ）の下部が内壁６２の下方に進入し、係止部５１は、側面５７ｃにすくい上げられ、係止突起５７を容易に乗り越える。これにより、治具１２をスライダ１１から一層容易に取り外すことができる。
【００７３】
図１２Ａ〜図１２Ｃは、プラグ２の変形例を示す。
【００７４】
図１２Ａ〜図１２Ｃに示す例では、治具１２の係止突起５７が、差込片５３の幅方向両側の側面５３ｃ，５３ｄに設けられており、スライダ１１の係止部５１が、スロット５０を囲む四方の壁のうち、スロット５０に差し込まれた差込片５３の側面５３ｃ，５３ｄと対向する側壁部に設けられている。また、係止突起５７の後面５７ｂは差込片５３のテーパ部５５上に配置されている。
【００７５】
図１２Ｂに示すとおり、差込片５３の第２面５３ｂがプラグ本体１０の抜去方向と平行に配置されている場合に、係止突起５７の後面５７ｂは第２面５３ｂに対して略垂直であり、後面５７ｂと係止部５１の内壁６２とは抜去方向に正対している。この場合に、治具１２がプラグ本体１０の抜去方向に引かれると、係止突起５７が内壁６２によって係止され、係止突起５７を係止したスライダ１１が治具１２と一体に抜去方向に引かれる。
【００７６】
一方、図１２Ｃに示すとおり、差込片５３のテーパ部５５の傾斜面５５ａが抜去方向と平行に配置されている場合に、係止突起５７の後面５７ｂは、係止部５１の内壁６２と反対側に倒れており、後面５７ｂと内壁６２とが抜去方向に正対している場合に比べて両者の係合力が弱まる。この場合に、治具１２がプラグ本体１０の抜去方向に引かれると、係止部５１が係止突起５７を容易に乗り越え、係止突起５７は係止部５１による係止から容易に解放される。これにより、治具１２がスライダ１１から容易に取り外される。
【００７７】
また、本例では、係止突起５７の後面５７ｂがテーパ部５５上に配置されており、差込片５３のテーパ部５５の傾斜面５５ａが抜去方向と平行に配置された際に、係止突起５７が下方に変位する。係止突起５７が下方に変位することにより、係止突起５７の後面５７ｂと内壁６２との係合代ＯＬ２は、差込片５３の第２面５３ｂがプラグ本体１０の抜去方向と平行に配置されている場合の係合代ＯＬ１よりも小さくなる。これにより、後面５７ｂと内壁６２との係合力が一層弱まり、治具１２をスライダ１１から容易に取り外すことができる。
【００７８】
ここまで、光ファイバケーブル１とその端末部に取り付けられているプラグ２を例にして実施形態を説明したが、上記実施形態は一例であって、本開示の趣旨を逸脱しない範囲で変更して実施できることは言うまでもない。例えばケーブルは、心線に導体が用いられる電気ケーブル（例えばＬＡＮ（Local Area Network）ケーブル等）であってもよい。また、ケーブルには、幹線から複数の分岐線が延びる分岐ケーブルも含まれ、分岐ケーブルである場合に、プラグが取り付けられるケーブルの端末部には、幹線の端末部及び／又は各分岐線の端末部が含まれる。
【符号の説明】
【００７９】
１  光ファイバケーブル
２  プラグ
５  アダプタ
１０  プラグ本体
１１  スライダ
１２  治具
５０  スロット
５１  係止部
５２  受圧部
５３  差込片
５３ａ  第１面
５３ｂ  第２面
５３ｃ  側面
５３ｄ  側面
５４  操作部
５５  テーパ部
５５ａ  傾斜面
５６  基部
５７  係止突起
５７ｂ  後面（係合面）
５７ｃ  側面
５７ｄ  側面
５８  押圧突起
５９  押圧部
【図１】
2019012253.tif 000003
【図２】
2019012253.tif 000004
【図３】
2019012253.tif 000005
【図４Ａ】
2019012253.tif 000006
【図４Ｂ】
2019012253.tif 000007
【図４Ｃ】
2019012253.tif 000008
【図５Ａ】
2019012253.tif 000009
【図５Ｂ】
2019012253.tif 000010
【図６Ａ】
2019012253.tif 000011
【図６Ｂ】
2019012253.tif 000012
【図６Ｃ】
2019012253.tif 000013
【図７Ａ】
2019012253.tif 000014
【図７Ｂ】
2019012253.tif 000015
【図７Ｃ】
2019012253.tif 000016
【図８Ａ】
2019012253.tif 000017
【図８Ｂ】
2019012253.tif 000018
【図８Ｃ】
2019012253.tif 000019
【図９】
2019012253.tif 000020
【図１０】
2019012253.tif 000021
【図１１】
2019012253.tif 000022
【図１２Ａ】
2019012253.tif 000023
【図１２Ｂ】
2019012253.tif 000024
【図１２Ｃ】
2019012253.tif 000025